(57)【要約】【課題】本発明は、使用時に配線コード等が邪魔にならず、かつ使用状態の見栄えを良くすることが可能な（使用したとしても部屋の美観を損なわせない）クレードル装置を提供することを目的とする。【解決手段】本発明に係るクレードル装置１００は、電子機器２００の装脱可能であり、当該電子機器２００を載置されることができる。さらに、当該クレードル装置１００の内部には、交流を直流に変換することができるＡＣアダプタが内蔵されている。【選択図】図１
2008118756.tif 000002
【特許請求の範囲】
【請求項１】
電子機器が装脱可能に載置されるクレードル装置であって、
交流を直流に変換することができるＡＣアダプタが内蔵されている、
ことを特徴とするクレードル装置。
【請求項２】
壁面に設置されているスイッチボックスに対して取り付けることが可能であり、
前記スイッチボックスに配設されている電源線と結線することができる電源端子部を、さらに備えている、
ことを特徴とする請求項１に記載のクレードル装置。
【請求項３】
前記電源端子部は、
ネジを締めることにより、前記電源線と結線することができるネジ式端子部である、
ことを特徴とする請求項２に記載のクレードル装置。
【請求項４】
前記電源端子部は、
外力を加えることにより形成される挿通部に前記電源線を挿通し、前記外力を開放することにより、前記電源線と結線することができる押圧式端子部である、
ことを特徴とする請求項２に記載のクレードル装置。
【請求項５】
前記スイッチボックスに対して取り付けられた状態において、前記スイッチボックスを覆うような形状を有している、
ことを特徴とする請求項２に記載のクレードル装置。
【請求項６】
コンセントに挿通することができるコンセントプラグを、さらに備えている、
ことを特徴とする請求項１に記載のクレードル装置。
【請求項７】
前記電子機器をスタンド状態で載置することができる、スタンド型クレードル装置であり、
前記ＡＣアダプタは、
前記クレードル装置の底部に配置されており、
前記コンセントプラグは、
前記ＡＣアダプタの配置位置より上方に形成されている、
ことを特徴とする請求項６に記載のクレードル装置。
【請求項８】
前記クレードル装置の底部から前記コンセントプラグの下端の形成位置までの距離は、
３０．３ｍｍ未満である、
ことを特徴とする請求項７に記載のクレードル装置。
【請求項９】
前記電子機器をスタンド状態で載置することができる、スタンド型クレードル装置であり、
前記コンセントプラグは、
前記クレードル装置の底部から下方向に突出するように形成されている、
ことを特徴とする請求項６に記載のクレードル装置。
【請求項１０】
前記クレードル装置は、
携帯端末機器である前記電子機器の装脱が可能である、
ことを特徴とする請求項１に記載のクレードル装置。
【請求項１１】
前記クレードル装置は、
屋外の様子を表示することができ、および／または、前記屋外と通信を行うことができる室内通信機である前記携帯端末機器の装脱が可能である、
ことを特徴とする請求項１０に記載のクレードル装置。
【発明の詳細な説明】
【技術分野】
【０００１】
この発明は、クレードル装置に係る発明である。
【背景技術】
【０００２】
従来より、電子機器を充電する目的等に使用されるクレードル装置が存在する。従来のクレードル装置には、付属品として配線コード付のＡＣアダプタが必要である。
【０００３】
たとえば、電子機器を充電する場合には、クレードル装置に電子機器を載置する。そして、配線コードの一方端に形成されているＡＣアダプタから突出しているコンセントプラグをコンセントに挿入し、他方端の端子部をクレードル装置の端子部に接続する。
【発明の開示】
【発明が解決しようとする課題】
【０００４】
しかし、使用時には、ＡＣアダプタおよび、当該ＡＣアダプタからクレードル装置までの配線コードが邪魔となることがあり、また当該配線コード等の存在により部屋の美観を損ねるという問題が生じていた。
【０００５】
そこで、本発明は、使用時に配線コード等が邪魔にならず、かつ使用状態の見栄えを良くすることが可能なクレードル装置を提供することを目的とする。
【課題を解決するための手段】
【０００６】
上記の目的を達成するために、本発明に係る請求項１に記載のクレードル装置は、電子機器が装脱可能に載置されるクレードル装置であって、交流を直流に変換することができるＡＣアダプタが内蔵されている。
【０００７】
また、請求項２に記載のクレードル装置は、請求項１に記載のクレードル装置であって、壁面に設置されているスイッチボックスに対して取り付けることが可能であり、前記スイッチボックスに配設されている電源線と結線することができる電源端子部を、さらに備えている。
【０００８】
また、請求項３に記載のクレードル装置は、請求項２に記載のクレードル装置であって、前記電源端子部は、ネジを締めることにより、前記電源線と結線することができるネジ式端子部である。
【０００９】
また、請求項４に記載のクレードル装置は、請求項２に記載のクレードル装置であって、前記電源端子部は、外力を加えることにより形成される挿通部に前記電源線を挿通し、前記外力を開放することにより、前記電源線と結線することができる押圧式端子部である。
【００１０】
また、請求項５に記載のクレードル装置は、請求項２に記載のクレードル装置であって、前記スイッチボックスに対して取り付けられた状態において、前記スイッチボックスを覆うような形状を有している。
【００１１】
また、請求項６に記載のクレードル装置は、請求項１に記載のクレードル装置であって、コンセントに挿通することができるコンセントプラグを、さらに備えている。
【００１２】
また、請求項７に記載のクレードル装置は、請求項６に記載のクレードル装置であって、前記電子機器をスタンド状態で載置することができる、スタンド型クレードル装置であり、前記ＡＣアダプタは、前記クレードル装置の底部に配置されており、前記コンセントプラグは、前記ＡＣアダプタの配置位置より上方に形成されている。
【００１３】
また、請求項８に記載のクレードル装置は、請求項７に記載のクレードル装置であって、前記クレードル装置の底部から前記コンセントプラグの下端の形成位置までの距離は、３０．３ｍｍ未満である。
【００１４】
また、請求項９に記載のクレードル装置は、請求項６に記載のクレードル装置であって、前記電子機器をスタンド状態で載置することができる、スタンド型クレードル装置であり、前記コンセントプラグは、前記クレードル装置の底部から下方向に突出するように形成されている。
【００１５】
また、請求項１０に記載のクレードル装置は、請求項１に記載のクレードル装置であって、前記クレードル装置は、携帯端末機器である前記電子機器の装脱が可能である。
【００１６】
また、請求項１１に記載のクレードル装置は、請求項１０に記載のクレードル装置であって、前記クレードル装置は、屋外の様子を表示することができ、および／または、前記屋外と通信を行うことができる室内通信機である前記携帯端末機器の装脱が可能である。
【発明の効果】
【００１７】
本発明の請求項１，２，１０，１１に記載のクレードル装置は、交流を直流に変換することができるＡＣアダプタが内蔵されている。したがって、使用時に配線コード等が邪魔にならず、かつ使用状態の見栄えを良くすることができる。
【００１８】
また、本発明の請求項３，４に記載のクレードル装置は、ネジ式端子部または押圧式端子部を備えている。したがって、簡単に、スイッチボックス内に配設されている電源線をクレードル装置の電源端子部に接続できる。
【００１９】
また、本発明の請求項５に記載のクレードル装置は、スイッチボックスに対して取り付けられた状態において、スイッチボックスを覆うような形状を有している。したがって、クレードル装置をスイッチボックスに取り付けたとしても、外部からスイッチボックス内を視認されることは無い。
【００２０】
また、本発明の請求項６に記載のクレードル装置は、コンセントに挿通することができるコンセントプラグを、さらに備えている。したがって、使用時に配線コード等が邪魔にならず、かつ使用状態の見栄えを良くすることができ、さらに、当該クレードル装置を電源に接続する処理も容易に行うことできる。また、クレードル装置の使用場所の自由度も増加する。
【００２１】
また、本発明の請求項７に記載のクレードル装置は、スタンド型であり、ＡＣアダプタは、クレードル装置の底部に配置されており、コンセントプラグは、ＡＣアダプタの配置位置より上方に形成されている。したがって、クレードル装置に電子機器を載置し充電処理を行ったとしても、容易にコンセントプラグがコンセントから抜けることを防止できる。これは、コンセントプラグの位置が、電子機器を載置したクレードル装置の重心に近づくためである。
【００２２】
また、本発明の請求項８に記載のクレードル装置では、クレードル装置の底部からコンセントプラグの下端の形成位置までの距離は、３０．３ｍｍ未満である。したがって、二つのコンセント口が上下に配設されている上部のコンセントにコンセントプラグを差し込んだとしても、下部のコンセントプラグを他の用途に使用することができる。つまり、上部のコンセントにクレードル装置を接続しても、下部のコンセントが当該クレードル装置により覆われない。
【００２３】
また、本発明の請求項９に記載のクレードル装置は、スタンド型であり、コンセントプラグは、クレードル装置の底部から下方向に突出するように形成されている。したがって、クレードル装置のコンセントの接続が安定して行える。つまり、電子機器が載置されたクレードル装置の重みにより、当該クレードル装置がコンセントから外れることが無い。
【発明を実施するための最良の形態】
【００２４】
以下、この発明をその実施の形態を示す図面に基づいて具体的に説明する。
【００２５】
＜実施の形態１＞
図１は、本実施の形態に係るクレードル装置の構成を示す図である。
【００２６】
図１に示すように、本実施の形態に係るクレードル装置１００は、装置内部にＡＣアダプタ１０が内蔵されている。ここで、ＡＣアダプタ１０はクレードル装置１００内に内蔵されているので、その輪郭を点線にて図示している。
【００２７】
当該クレードル装置１００は、図１に示すように、電子機器２００の装脱が可能である。図２に示すように、クレードル装置１００は、電子機器２００をスタンド状態で載置することができる。つまり、クレードル装置１００は、スタンド型クレードル装置である。ここで、クレードル装置１００および電子機器２００には、装着時に両装置１００，２００間の電気的接続が可能な端子部が各々配設されている。また、クレードル装置１００は、装着（載置）された電子機器２００に電力を供給する充電機能を有する。
【００２８】
また、本実施の形態に係るクレードル装置１００は、図３に示すように、家屋の壁面に設置されているスイッチボックス３００に対して取り付けることが可能である。当該クレードル装置１００には図示しないが、スイッチボックス３００に配設されている電源線３１０と結線することができる電源端子部を備えている。
【００２９】
電源端子部は、たとえばネジ式端子部を採用することができる。図４は、クレードル装置１００の筐体に形成されたネジ式端子部２０を示す図である。当該ネジ式端子部２０は、ネジ２０ａと端子電極部２０ｂとを備えている。当該ネジ式端子部２０に対して電源線３１０を結線する場合には、まずネジ２０ａが締まっていない状態で、溝が掘られているネジ部に電源線３１０を絡ませる。その後ネジ２０ａを締め、ネジ頭と端子電極部２０ｂとの間で電源線３１０を挟む（図４参照）。このようにネジ２０ａを締めることにより、ネジ式端子部２０に対して電源線３１０を結線することができる。
【００３０】
また、電源端子部として、たとえば押圧式端子部を採用することができる。図５は、押圧式端子部３０における電源線の結成方法を説明するための図である。押圧式端子部３０を構成する凸出部３０ａに対して、付勢力に対向するように外力を加える（押圧する）。すると、図５の右図に図示するように、押圧式端子部３０に挿通部が形成される。次に、当該挿通部に電源線３１０を挿通し、当該挿通状態において、上記外力を開放する。すると、上記付勢力により凸出部３０ａは元の位置に戻り、これにより電源線３１０を結線することができる。
【００３１】
また、上記の通り電源端子部への電源線３１０の結線を済ませたなら、クレードル装置１００をスイッチボックス３００に取り付ける。当該取り付けの方法としては、ネジ止め等が採用できる。
【００３２】
ここで、スイッチボックス３００に対してクレードル装置１００が取り付けられた状態において、当該クレードル装置１００によりスイッチボックス３００を覆うような形状を、当該クレードル装置１００が有していることが望ましい。これは、取り付け状態においてスイッチボックス３００をクレードル装置１００が完全に覆うことができない場合には、当該クレードル装置１００の取り付け状態において、スイッチボックス３００内が外から視認され、壁面の美観を損ねるからである。
【００３３】
たとえば、ホームページhttp://www.jisc.go.jp/app/JPS/JPSO0020.htmlにおいて規格番号Ｃ８３４０で検索できる、ＪＩＳ規格のＪＩＳリスト（ＪＩＳＣ８３４０）には、スイッチボックス３００の寸法が掲載されている。したがって、たとえば、クレードル装置１００の壁への取り付け面の寸法が当該ＪＩＳ規格の寸法と同程度（若干大きい場合も含む）であれば、上記クレードル装置１００の取り付け状態において、当該クレードル装置１００によりスイッチボックス３００を覆うことができる（図６参照。図６は、クレードル装置１００をスイッチボックス３００に取り付けた状態を示す図である）。つまり、当該取り付け状態において、スイッチボックス３００内部が外から見えなくなる。
【００３４】
また、上記したように、クレードル装置１００には、ＡＣアダプタ１０が内蔵されている。より具体的に、図１に示すように、ＡＣアダプタ１０は、クレードル装置１００の底部付近に配置されている。これは、クレードル装置１００に電子機器２００を装着したときに、全体の重心がクレードル装置１００のより下方に存するようにするためである。
【００３５】
ＡＣアダプタ１０は、交流を直流に変換することができる。また、当該ＡＣアダプタ１０から出力される直流電源が、クレードル装置１００内の充電機能を介して、クレードル装置１００に装着されている電子機器２００内の充電池に伝送される。
【００３６】
なお、当該電子機器２００には、表示部７０や複数の操作部８０等が配設されており、また充電池等が内蔵されている。当該電子機器２００は、当該機器に対して所定の操作を施すことができる携帯端末機器等を想定することができる。つまり、本実施の形態に係るクレードル装置１００として、携帯端末機器（特に、ドアホンシステムを構成する室内通信子機（以下、単に室内子機と称する）を装脱することが可能なものを採用することができる。
【００３７】
当該室内子機は、屋外に存する人物と会話（通信）できると共に、当該屋外に存する人物を表示部に表示させることができる機器であり、親機が固定されているのに対し当該室内子機は持ち運び可能である。また、当該室内機と、室内親機、中継機、または他の室内子機との間において、無線での通信が可能である。したがって、室内機子機には、音声入出力部、表示部、無線部が備えられている。
【００３８】
当該室内子機等の電子機器２００に内蔵されている充電池を充電する場合には、壁面に設置されているクレードル装置１００に、当該電子機器２００を装着（載置）する（図２）。これにより、クレードル装置１００および電気機器２００に各々配設されている電極部同士が接続し、ＡＣアダプタ１０を介した充電処理が開始される。
【００３９】
ここで、当該充電処理の前に、クレードル装置１００に設けられている上記電源端子部に電源線３１０を結線する工事、および、壁面に設けられたスイッチボックス３００にクレードル装置１００を取り付ける工事は既に完了されている（図３，６）。
【００４０】
以上のように、本実施の形態に係るクレードル装置１００には、ＡＣアダプタ１０が内蔵されている。したがって、従来のクレードル装置と比較して以下の効果を有する。ここで、図７は、従来のクレードル装置１２０の構成を示す図である。
【００４１】
図７に示すように、従来では、配線コード１２０を介して、コンセントからの電源をクレードル装置１３０に供給されていた。ここで、配線コード１２０の一方端にはＡＣアダプタ１２５が配設されており、他方端はクレードル装置１３０と接続される。当該図７の構成から分かるように、従来のクレードル装置１３０を用いて電子機器の充電を行う場合には、長い配線コード１２０および重く体積の大きなＡＣアダプタ１２５が室内を使用するユーザにとって邪魔になっていた。さらに、長い配線コード１２０および体積の大きなＡＣアダプタ１２５は、部屋の美観を損ねる原因となっていた。
【００４２】
これに対して、本実施の形態に係るクレードル装置１００では、装置内部にＡＣアダプタ１０が内蔵されている。
【００４３】
したがって、当該クレードル装置１００を直接電源供給口に接続すれば、無駄な配線コードを省略することができる。よって、当該配線コードが邪魔になるという問題、当該配線コードに起因した美観を損ねるという問題を解消できる。さらに、ＡＣアダプタ１０をクレードル装置１００の筐体内に納められているので、当該ＡＣアダプタ自体が邪魔になるという問題も解消できる。また、クレードル装置１００の筐体にデザイン性を持たせれば、当該クレードル装置１００を電源供給口に接続したとしても美観を損ねることは無くなる。
【００４４】
また、本実施の形態に係るクレードル装置１００は、スイッチボックス３００に配設されている電源線３１０と結線することができる電源端子部を備えている。そして、当該クレードル装置１００は、壁面に設置されている当該スイッチボックス３００に対して取り付けることが可能である。
【００４５】
したがって、クレードル装置１００を壁面に常設することができ、かつ当該クレードル装置１００を簡単に電源供給口に直接接続することができる。もちろん、電源線３１０はスイッチボックス３００内に納められるものであるので、クレードル装置１００のスイッチボックス３００への取り付け上体において、当該電源線３１０が壁面から出現することも無い（つまり、部屋の美観を損ねること無く、クレードル装置１００を壁面に設置できる）。
【００４６】
ここで、クレードル装置１００に設けられる電源端子部は、図４に示したようなネジ式端子部２０であっても良い。また、図５に示したような押圧式端子部３０であっても良い。いずれの端子部２０，３０を用いた場合でも、簡単に電力線３１０をクレードル装置１００に結線することができる。
【００４７】
また、本実施の形態に係るクレードル装置１００は、図６に示すように、スイッチボックス３００に対して取り付けられた状態において、当該スイッチボックス３００を覆うような形状を有している。
【００４８】
したがって、スイッチボックス３００自体が原因で壁面の美観を損ねることを防止できる。つまり、クレードル装置１００を取り付けた状態において、スイッチボックス３００内が外部から視認されることを防止できる。
【００４９】
また、スイッチボックス３００を覆い隠せれば良いので、クレードル装置１００の壁面設置面の面積は、スイッチボックス３００と同程度（もしくは若干大きい）であることが望ましい。これにより、必要以上にクレードル装置１００の外形を大きくする必要が無くなる。つまり、あまりにも大きなクレードル装置１００の存在により、壁面の美観を損ねることが無くなる。
【００５０】
＜実施の形態２＞
実施の形態１では、クレードル装置１００は、スイッチボックス３００に対して取り付けることができる構成を有していた。これに対して、本実施の形態に係るクレードル装置は、直接コンセントに接続することができる構成を有している。図８は、本実施の形態に係るクレードル装置１０１の構成およびコンセント３６に当該クレードル装置１０１を直接接続する様子を示す図である。ここで、図８に示されているクレードル装置１０１は、側面側から見た図である。
【００５１】
図８に示すように、当該クレードル装置１０１は、コンセント３６に直接接続（挿通）することができるコンセントプラグ３５が形成されている。ここで、当該クレードル装置１０１は、電子機器２００をスタンド状態で載置することができる（図１，２の状態で電子機器２００が装着される）、スタンド型クレードル装置である。また、ＡＣアダプタ１０は、当該スタンド型のクレードル装置１０１の下部（底部）に配置されている。
【００５２】
図８に示すように、コンセントプラグ３５は、ＡＣアダプタ１０の配置位置より上方に形成されている。これは、電子機器２００が装着された状態におけるクレードル装置１０１の重心になるべく近い位置に、コンセントプラグ３５を配置させるためである。
【００５３】
また、コンセントプラグ３５の配置位置は、クレードル装置１０１の下記の位置に配置されることが望ましい。つまり、クレードル装置１０１の底部からコンセントプラグ３５の下端の形成位置までの距離は、３０．３ｍｍ未満であることが望ましい。その理由は、以下の通りである。
【００５４】
図９に示すように、二つのコンセント３６が上下方向に並んで形成される場合、ＪＩＳ規格によると、上部コンセント３６ａの中央部から下部コンセント３６ｂの中央部までの距離は、３９ｍｍである。また、コンセントプラグ３５の受け入り口３６ｈの寸法は、ＪＩＳ規格によると、８，７ｍｍ程度である。したがって、ＪＩＳ規格によると、上部コンセント３６ａの受け入り口３６ｈの下部から、下部コンセント３６ｂの受け入り口３６ｈの上部までの距離は、３９ｍｍ−８．７ｍｍ＝３０．３ｍｍ、であることが分かる（図９参照）。
【００５５】
以上のことから、クレードル装置１０１の底部からコンセントプラグ３５の下端の形成位置までの距離は、３０．３ｍｍ未満とすることにより、たとえ当該クレードル装置１０１を上部コンセント３６ａに直接挿入したとしても、下部コンセント３６ｂを他の用途のために使用することができる。換言すれば、もし、クレードル装置１０１の底部からコンセントプラグ３５の下端の形成位置までの距離は、３０．３ｍｍ以上であれば、当該クレードル装置１０１を上部コンセント３６ａに直接挿入したとき、下部コンセント３６ｂが当該クレードル装置１０１により覆われてしまい、他の用途のために使用することができなくなる。
【００５６】
以上のように、本実施の形態に係るクレードル装置１０１では、コンセント３６に挿通することができるコンセントプラグ３５が形成されている。したがって、実施の形態１と同様に、無駄な配線コードを省略することができる。よって、当該配線コードが邪魔になるという問題、当該配線コードに起因した美観を損ねるという問題を解消できる。さらに、ＡＣアダプタ１０をクレードル装置１０１の筐体内に納められているので、実施の形態１と同様に、当該ＡＣアダプタ自体が邪魔になるという問題、ＡＣアダプタ自体により部屋の美観を損ねるという問題も解消できる。
【００５７】
また、電子機器２００の充電の際には、本実施の形態に係るクレードル装置１０１は、家屋内に存するいずれのコンセント３６に対しても接続可能である。そして、その接続処理は非常に容易である。したがって、スイッチボックス３００にクレードル装置１００を設置する場合と比較して、クレードル装置１０１を用いた電子機器２００の充電する場所の変更を容易に行うことができる。
【００５８】
また、本実施の形態に係るクレードル装置１０１は、スタンド型であり、ＡＣアダプタ１０は、クレードル装置１０１の底部に配置されている。さらに、コンセントプラグ３５は、ＡＣアダプタ１０の配置位置より上方に形成されている（図８参照）。
【００５９】
したがって、電子機器２００が載置されたクレードル装置１０１の重心のより近い位置に、コンセント３６との接続箇所を設けることができる。したがって、クレードル装置１０１のコンセント３６への安定した接続が可能となる。
【００６０】
つまり、コンセントプラグ３５の位置が、ＡＣアダプタ１０の設置位置とほぼ同じ高さに形成されていた場合には、電子機器２００等の重みにより、コンセント３６から離れる方向に当該クレードル装置１０１に力がかかる。そしてこれにより、コンセント３６からコンセントプラグ３５が抜け易くなる。しかし、本実施の形態に係るクレードル装置１０１では、電子機器２００等の重みにより、コンセント３６から離れる方向にかかる力を少なくすることができる。よって、クレードル装置１０１のコンセント３６への安定した接続が可能となる。
【００６１】
また、本実施の形態に係るクレードル装置１０１では、クレードル装置１０１の底部からコンセントプラグ３５の下端の形成位置までの距離は、３０．３ｍｍ未満である。
【００６２】
したがって、二つのコンセント３６が上下方向に並んでいる場合において（図９参照）、上部コンセント３６ａに当該クレードル装置１０１のコンセントプラグ３５を接続したとしても、当該クレードル装置１０１が下部コンセント３６ｂに被ることを防止できる。つまり、下部コンセント３６ｂを他の用途に使用することができる。
【００６３】
なお上記では、クレードル装置１０１の背面側にコンセントプラグ３５が形成されていた。しかし、図１０に示すように、スタンド型であるクレードル装置１０１の底面にコンセントプラグ３５が形成されていても良い。より具体的には、スタンド型であるクレードル装置１０１の底部から下方向に突出するように、コンセントプラグ３５が形成されていても良い。
【００６４】
当該図１０に示す構成を採用することにより、床面にコンセントが設置されている場合には、クレードル装置１０１をスタンド状態で当該コンセントに接続することが可能となる。また、電子機器２００が載置されたクレードル装置１００の重荷により、当該クレードル装置１００が床面に配設されたコンセントから抜けることを防止できる（コンセントへの安定接続が可能）。
【図面の簡単な説明】
【００６５】
【図１】本発明に係るクレードル装置の構成および、当該クレードル装置に電子機器を装着（載置）する様子を示す図である。
【図２】クレードル装置に電子機器を載置した様子を示す図である。
【図３】スイッチボックスにクレードル装置を取り付ける様子を示す図である。
【図４】ネジ式端子部の構成を示す図である。
【図５】押圧式端子部の構成を示す図である。
【図６】スイッチボックスにクレードル装置を接続した様子を示す図である。
【図７】従来のクレードル装置、配線コード、およびＡＣアダプタが別部材である構成例を示す図である。
【図８】コンセントに直接クレードル装置を接続する様子を示す図である。
【図９】クレードル装置におけるコンセントプラグの形成位置を説明するための図である。
【図１０】クレードル装置の底部にコンセントプラグが形成されている構成を示す図である。
【符号の説明】
【００６６】
１０  ＡＣアダプタ
２０  ネジ式端子部
３０  押圧式端子部
３５  コンセントプラグ
３６  コンセント
１００，１０１  クレードル装置  
２００  電子機器
３００  スイッチボックス
３１０  電源線
【図１】
2008118756.tif 000003
【図２】
2008118756.tif 000004
【図３】
2008118756.tif 000005
【図４】
2008118756.tif 000006
【図５】
2008118756.tif 000007
【図６】
2008118756.tif 000008
【図７】
2008118756.tif 000009
【図８】
2008118756.tif 000010
【図９】
2008118756.tif 000011
【図１０】
2008118756.tif 000012